(57)【要約】【課題】  スピーカーから出力される遊技の効果音の高音質化を簡単且つ低コストな構成で実現できる遊技機を得る。【解決手段】  外枠１２の前面下部に設けられた下飾り２０の裏面に、後側を開口させた筒状の周壁１３２Ｌ、１３２Ｒを一体的に設け、この周壁１３２Ｌ、１３２Ｒの内部に、下飾り２０の裏面に取り付けられたスピーカー１５０Ｌ、１５０Ｒが収容されるよう構成する。このような筒状の周壁１３２Ｌ、１３２Ｒであれば、後側が開口していることで下飾り２０を型成形する際に簡単な金型構造で容易に一体形成することができる。また、スピーカー１５０Ｌ、１５０Ｒによる効果音の出力時には、スピーカー１５０Ｌ、１５０Ｒから後方へ出力される、効果音とは逆位相の音が周壁１３２Ｌ、１３２Ｒ内で共鳴することにより、効果音の低音域が増強されて高音質化が図られる。【選択図】        図７
2006000165.tif 000002
【特許請求の範囲】
【請求項１】
遊技機の外郭を構成する外枠と、前記外枠の前面下部に設けられた装飾部材と、前記装飾部材の裏面に取り付けられ遊技の効果音を前方へ出力するスピーカーと、を備えた遊技機であって、
前記装飾部材の裏面に、後側に形成された開口を通して装飾部材の裏面にスピーカーが着脱可能とされ、且つ、取付状態のスピーカーを内部に収容して囲う筒状の周壁が一体的に設けられていることを特徴とする遊技機。
【請求項２】
前記周壁の開口形状が前記スピーカーの外形形状と略同形状とされていることを特徴とする請求項１記載の遊技機。
【請求項３】
前記スピーカーの裏面側に、遊技球がスピーカーの振動板に接触すことを防止する接触防止手段が設けられていることを特徴とする請求項１又は請求項２記載の遊技機。
【発明の詳細な説明】
【技術分野】
【０００１】
本発明は、遊技機に係り、詳細には、外枠の前面下部に配置される装飾部材に遊技の効果音を出力するスピーカーが取り付けられた遊技機に関する。
【背景技術】
【０００２】
パチンコ機等の遊技機では、遊技機の外郭を構成する外枠の前面下部に、通称「下飾り」等と呼ばれる装飾部材が設けられている。この装飾部材は、一般には合成樹脂製の成形品とされ、その裏面側に遊技の効果音を出力するスピーカーを配置したもの（例えば、特許文献１参照）、あるいは、装飾部材の裏面に取り付けたスピーカーをエンクロージャー構造の収容部で内包したものがある（例えば、特許文献２参照）。
【特許文献１】特開２００３−１３５６９０号公報
【特許文献２】特開２００３−１３５６８１号公報
【発明の開示】
【発明が解決しようとする課題】
【０００３】
しかしながら、上述した特許文献１において、スピーカーを装飾部材に取り付け装飾部材をバッフル板として用いた平面バッフル型（後面開放型）の構成では、低音の出力レベル（量感）が低くなり、遊技中に出力される効果音が他の遊技機の効果音やホールのＢＧＭ、案内音声等に掻き消されやすくなる。また、特許文献１においてスピーカーボックスを用いた密閉型や、特許文献２のようにスピーカーを内包する収容部（エンクロージャー）を設けたバスレフ型の構成では、低音域の量感を補うことはできるものの、部品点数及び取付工数の増加でコスト高になる問題がある。
【０００４】
本発明は上記事実を考慮して、スピーカーから出力される遊技の効果音の高音質化を簡単且つ低コストな構成で実現できる遊技機を提供することを課題とする。
【課題を解決するための手段】
【０００５】
上記目的を達成するために請求項１に記載の発明は、遊技機の外郭を構成する外枠と、前記外枠の前面下部に設けられた装飾部材と、前記装飾部材の裏面に取り付けられ遊技の効果音を前方へ出力するスピーカーと、を備えた遊技機であって、前記装飾部材の裏面に、後側に形成された開口を通して装飾部材の裏面にスピーカーが着脱可能とされ、且つ、取付状態のスピーカーを内部に収容して囲う筒状の周壁が一体的に設けられていることを特徴としている。
【０００６】
請求項１に記載の発明では、外枠の前面下部に設けられた装飾部材の裏面に、後側を開口させた筒状の周壁を一体的に設け、この周壁の内部に、装飾部材の裏面に取り付けられたスピーカーが収容され周壁によって囲われるよう構成する。この筒状の周壁は、後側が開口していることで、例えば装飾部材を型成形する際に簡単な金型構造で容易に一体形成することができ、スピーカーボックスやエンクロージャー等を別途取り付ける場合に比べて、簡単且つ低コストに構成できる。また、遊技機の組み立てやメンテナンス等では、周壁の開口を通して、スピーカーを周壁内に嵌め入れ装飾部材の裏面に取り付け、又、スピーカーを装飾部材の裏面から取り外し周壁内から抜き出すことができる。そして、スピーカーによる効果音の出力時には、スピーカーから後方へ出力される、効果音とは逆位相の音が周壁内で共鳴することにより、効果音の低音域が増強されて高音質化が図られる。
【０００７】
このように、スピーカーから出力される遊技の効果音の高音質化は、装飾部材の裏面に筒状の周壁を一体的に設けるだけの簡単且つ低コストな構成によって実現することができる。
【０００８】
請求項２に記載の発明は、請求項１記載の遊技機において、前記周壁の開口形状が前記スピーカーの外形形状と略同形状とされていることを特徴としている。
【０００９】
請求項２に記載の発明では、スピーカーを装飾部材の裏面に取り付ける際に、開口を通して周壁内に嵌め入れられたスピーカーが、周壁の内壁面にガイドされ装飾部材の裏面における取付部に誘導される。これにより、スピーカーの取付位置決め及び取付作業が容易になる。
【００１０】
請求項３に記載の発明は、請求項１又は請求項２記載の遊技機において、前記スピーカーの裏面側に、遊技球がスピーカーの振動板に接触すことを防止する接触防止手段が設けられていることを特徴としている。
【００１１】
請求項３に記載の発明では、例えば外枠に開閉可能に設けられた内枠を開放したときに、内枠の裏面側で遊技球が零れ落ち、その遊技球が装飾部材の裏面側に至った場合等に、スピーカーの振動板は、スピーカーの裏面側に設けられた接触防止手段により遊技球の接触が防がれて保護される。これにより、遊技球が振動板に接触すことで引き起こされる振動板の破損やスピーカーの音響特性変化を防止できる。
【発明の効果】
【００１２】
本発明の遊技機は上記構成としたので、スピーカーから出力される遊技の効果音の高音質化を簡単且つ低コストな構成で実現することができる。
【発明を実施するための最良の形態】
【００１３】
以下、本発明の実施形態に係るパチンコ機について図面を参照して説明する。
【００１４】
図１には本発明の一実施形態に係るパチンコ機が示され、図２には本実施形態に係るパチンコ機に適用される内枠、ガラス枠、及び遊技盤が示されている。
【００１５】
図１に示されるように、パチンコ機１０は、パチンコ機１０の外郭を構成するとともにパチンコホールの島設備に設置される矩形状の外枠１２を備えている。外枠１２の前面には矩形額縁状の内枠１４が配置されており（図２参照）、内枠１４は、外枠１２に設けられた一対のヒンジ部１６、１８に左側端部が軸支されて開閉可能に取り付けられている。また外枠１２の前面下部には、装飾部材としての下飾り２０が取り付けられている。
【００１６】
内枠１４の前面上部には、ガラス板２２を装着したガラスフレーム２４を窓部２５に備えるガラス枠２６が配置されており、ガラス枠２６は左側端部が内枠１４に軸支されて開閉可能に取り付けられている。また、ガラスフレーム２４に装着されたガラス板２２は、図１の紙面奥行き方向に所定の間隔で互いに平行に配置された一対のガラス板からなる二重構造となっている。このガラス枠２６の裏面側となる内枠１４の上部には、矩形状の開口部２８が設けられている（図２参照）。開口部２８には、交換可能とされた遊技盤１００がセットされており、遊技盤１００は、ガラス枠２６を内枠１４に閉塞した状態でガラス枠２６（ガラス板２２）に覆われるようになっている。
【００１７】
ガラス枠２６の前面には、遊技の進行に応じて点灯又は点滅等し照明による演出効果を生み出す演出用の表示灯１４２がガラス板２２（遊技盤１００の遊技領域１０１）を取り囲むように配置されており、さらに左上隅及び右上隅には、賞球払出エラー及び払出状態エラー等の各種エラーを報知するエラー用の表示灯１４４が配置されている。また、各エラー用の表示灯１４４の内側には、遊技の効果音をステレオ出力するスピーカー１４６Ｌ、１４６Ｒが配設されており、さらに本実施形態のパチンコ機１０では、詳細については後述する下飾り２０の裏面にも、遊技の効果音をステレオ出力するスピーカー１５０Ｌ、１５０Ｒが配設されている。
【００１８】
内枠１４の前面下部には、一般的な上皿及び下皿の機能を兼ね備える打球供給皿としての一体皿３０が配置されている。一体皿３０は、パネル部材３２の左側端部が内枠１４に軸支されて開閉可能に取り付けられており、パネル部材３２の前面には、上部に遊技球を貯える球皿部３４が形成された球皿本体３６が突設されている。
【００１９】
球皿部３４の底面は、正面視にて左側から右側へ下り傾斜しており、その傾斜方向下流側となる左側には、遊技球を１列に整列してパネル部材３２の裏面に配置された球送り装置（図示省略）に送り込むための整列通路が設けられている。パネル部材３２の前面の右側上部には、パチンコ機１０内に設けられた賞球払出装置（図示省略）から払い出された賞球が排出される賞球排出口４６が形成されている。この賞球排出口４６から排出された賞球は球皿部３４に貯留され、球皿部３４内を左方向へ流下し整列通路により１列に整列されて球送り装置に送り込まれる。
【００２０】
また、パネル部材３２の前面における左側下部には灰皿３８が設けられ、右側下部には打球の発射力（飛距離）を調整するための発射ハンドル３９が取り付けられている。
【００２１】
図２に示されるように、内枠１４の前面下部における一体皿３０の裏面側には、遊技盤１００の左下に発射装置４０が配置され、球皿本体３６の後方に位置して、内枠１４に着脱可能に構成された貯球タンク４２が２個のプラスチックファスナー４３によって取り付けられている。これらの発射装置４０及び貯球タンク４２は、一体皿３０を内枠１４に閉塞すると一体皿３０に覆われるようになっている。
【００２２】
貯球タンク４２は、上面が開口した箱型とされ、底面４４が正面視にて左側から右側へ下り傾斜している。底面４４の傾斜方向上流側となる貯球タンク４２の左側面部には図示しないタンク入口が形成され、傾斜方向下流側となる貯球タンク４２の前面右側端部には、一体皿３０のパネル部材３２に設けられた賞球排出口４６と対応する位置にタンク出口４５が形成されている。したがって、一体皿３０を内枠１４に閉塞した状態では、貯球タンク４２と一体皿３０の球皿部３４とが、タンク出口４５及び賞球排出口４６を介して連通される。
【００２３】
また、一体皿３０のパネル部材３２裏面における賞球排出口４６の下方位置と、内枠１４前面の下部右側におけるタンク出口４５の下方位置とには、上下方向に移動可能とされたシャッター板がそれぞれ設けられている（図２では内枠１４側のシャッター板５０のみを図示している）。これらのシャッター板は、一体皿３０が閉塞されると各々下方へ移動して（図２に示したシャッター板５０の位置）、タンク出口４５と賞球排出口４６とを連通させ、一体皿３０が開放されると各々上方へ移動して、内枠１４側のシャッター板５０はタンク出口４５の下縁側を、一体皿３０側のシャッター板は賞球排出口４６の下縁側を塞ぐよう構成されている。このシャッター板により、一体皿３０を開放した際は、貯球タンク４２及び球皿部３４から遊技球（賞球）が流出しないようせき止められる。
【００２４】
内枠１４裏面の左側端部（正面視右側端部）には、上下方向に延出された施錠装置５２が取り付けられている。施錠装置５２の下部にはシリンダー錠（錠前）５４が設けられており、シリンダー錠５４の鍵孔５６は、内枠１４前面の右下部に設けられた台座５５から露出されている。
【００２５】
施錠装置５２の裏面側における上下端部近傍には、後方へ突出された一対の内枠固定用フック６０Ａ、６０Ｂが設けられている。施錠装置５２の前面側におけるガラス枠２６との対応位置には、一対のガラス枠固定用フック６２Ａ、６２Ｂが設けられており、このガラス枠固定用フック６２Ａ、６２Ｂは、内枠１４前面の右側端部に形成されたスリット６４Ａ、６４Ｂを通して前方へ突出されている。また、施錠装置５２の前面側における一体皿３０との対応位置には、上下方向にスライドする一対の一体皿固定用鍵受け部材６６Ａ、６６Ｂが設けられている。
【００２６】
これにより、内枠１４を外枠１２に閉塞すると、施錠装置５２の内枠固定用フック６０Ａ、６０Ｂが外枠１２の正面視右内側面設けられた一対の鍵受け部（図示省略）に係合し、内枠１４は外枠１２に保持される。ガラス枠２６を内枠１４に閉塞すると、ガラス枠２６裏面の右側端部に取り付けられているガラス枠補強板６８に設けられた一対の鍵受け部７０Ａ、７０Ｂが施錠装置５２のガラス枠固定用フック６２Ａ、６２Ｂに係合し、ガラス枠２６は内枠１４に保持される。また、一体皿３０を内枠１４に閉塞すると、一体皿３０裏面の右側端部に取り付けられている一対のフック（図示省略）が施錠装置５２の一体皿固定用鍵受け部材６６Ａ、６６Ｂに係合し、一体皿３０は内枠１４に保持される。
【００２７】
また、内枠固定用フック６０Ａ、６０Ｂ及びガラス枠固定用フック６２Ａ、６２Ｂは、シリンダー錠５４の鍵孔５６に図示しない鍵を差し込んで所定の方向に回すことにより、それぞれ係合状態が解除され解錠されるようになっている。一体皿固定用鍵受け部材６６Ａ、６６Ｂは、ガラス枠２６を開放すると露出される施錠装置５２の解除レバー７２を押し下げることにより、一体皿固定用鍵受け部材６６Ａ、６６Ｂが下方へスライドして一体皿３０の各フックとの係合状態が解除されるようになっている。
【００２８】
この施錠装置５２により、内枠１４は外枠１２に、ガラス枠２６は内枠１４にそれぞれ施錠されるとともに、一体皿３０は内枠１４にロックされて、それぞれ閉塞状態に固定される。
【００２９】
図２に示されるように、遊技盤１００は、装飾画（図示省略）を印刷した樹脂製シート状のセルが基板であるベニヤ板に貼着されてそのセルの表面が盤面１００Ａとなっている。盤面１００Ａの外周端部付近には、円弧状の外レール１０２及び内レール１０４が取り付けられており、これらの外レール１０２、内レール１０４によって囲まれた円形状の領域は、遊技球が移動可能な遊技領域１０１とされている。
【００３０】
遊技領域１０１には、液晶ディスプレイを内蔵した特別図柄表示装置や、入賞口、始動口（スタート・チャッカー）、通過入賞口（スルー・チャッカー）、又、大入賞口（アタッカー）を備えた変動入賞装置（特別電動役物）がそれぞれ所定の位置に配置されると共に、遊技領域１０１内を落下する遊技球を所定の経路に誘導する多数の遊技釘等が設けられており（何れも図示省略）、最下位置にアウト口１２４が配置されている。
【００３１】
次に、本実施形態に係るパチンコ機１０における下飾り２０について説明する。
【００３２】
本実施形態のパチンコ機１０は、外枠１２がアルミダイキャスト製で、下飾り２０がＡＢＳ等の合成樹脂材料による成形品であり、この下飾り２０は、上述したように外枠１２の前面下部に配置され（図１参照）、図３及び図４に示されるように、外枠１２に着脱可能とされている。
【００３３】
図７（Ａ）に示されるように、下飾り２０は正面視が矩形状とされ、前面２０Ａの中央部には、後側へ少し凹まされた正面視逆台形状の凹状部１２６が設けられており、凹状部１２６を挟んだ左右側端部に、横長の略楕円形状とされたスピーカー取付孔１２８Ｌ、１２８Ｒが形成されている。
【００３４】
スピーカー取付孔１２８Ｌ、１２８Ｒの前縁部には、縦格子状に構成された複数のリブ１３０が設けられており、このスピーカー取付孔１２８Ｌ、１２８Ｒの後縁部に、前述したスピーカー１５０Ｌ、１５０Ｒと、スピーカー１５０Ｌ、１５０Ｒを保護するパンチングメタル１７０Ｌ、１７０Ｒとが取り付けられている。
【００３５】
図６に示されるように、下飾り２０の裏面２０Ｂにおける左右側端部で、スピーカー取付孔１２８Ｌ、１２８Ｒと対応する部位には、四角筒状の周壁１３２Ｌ、１３２Ｒが一体的に設けられている。周壁１３２Ｌ、１３２Ｒは、後側が開口されその開口１３３Ｌ、１３３Ｒの形状はスピーカー取付孔１２８Ｌ、１２８Ｒよりも少し大きな横長の矩形状とされている。また、スピーカー取付孔１２８Ｌ、１２８Ｒの後縁部における周壁１３２Ｌ、１３２Ｒ内側の四隅には、一方の対角に一対のボス１３４が設けられ、他方の対角に一対のネジ孔１３６が形成されている。
【００３６】
スピーカー１５０Ｌ、１５０Ｒは、図５に示されるように、正面視が横長の矩形状とされた金属製のフレーム１５２を備えている。このフレーム１５２の前板部１５２Ａは、外形形状が周壁１３２Ｌ、１３２Ｒの開口１３３Ｌ、１３３Ｒの形状と略同形状で、その大きさが開口１３３Ｌ、１３３Ｒよりも僅かに小さくされている。また、前板部１５２Ａの四隅には、ボス１３４及びネジ孔１３６と対応する長孔１５４が形成され、前板部１５２Ａの中央に形成された横長略楕円形状の開口１５６には、コーン紙１５８が取り付けられている。
【００３７】
図６に示されるように、フレーム１５２の裏面側には、後方へ略楕円錐形に突出され内部が空洞とされたボックス部１５２Ｂが設けられている。ボックス部１５２Ｂの頂部（突出先端部）には駆動部１６０が設けられており、この駆動部１６０には、コーン紙１５８を駆動（振動）させる駆動源を構成するボイスコイル及びマグネットと、それらを覆って磁束の漏れを防止するヨーク等（何れも図示省略）が内蔵されている。
【００３８】
ボックス部１５２Ｂの裏面（円錐曲面）には、ボックス部１５２Ｂ内を外部と連通させるベントホール１６２が２個形成されている。これらのベントホール１６２の中央には、横方向に沿って延出されたリブ１６４がそれぞれ架設されており、ベントホール１６２はこのリブ１６４によって上下に２分割され、分割された各孔部の高さ寸法Ｈは遊技球ＢＬの直径Ｄよりも少し小さくされている。
【００３９】
また、一方のリブ１６４には、一対の端子１６６が実装された基板１６８が固着されており、この基板１６８の各端子１６６は、駆動部１６０に内蔵されたボイスコイルの両端とそれぞれ電気的に接続されている。さらに、各端子１６６には、音声制御基板へ接続される図示しない配線がそれぞれ半田付けされており、この配線を通じて音声制御基板から駆動部１６０に駆動信号が入力されると、駆動部１６０によりコーン紙１５８が駆動されスピーカー１５０Ｌ、１５０Ｒから遊技の効果音が出力される。なお、配線の半田付け部と端子１６６の金属露出部とは熱収縮性絶縁チューブ等によって被覆・保護されるようになっており、これにより、例えば遊技球等の導通部材が接触した場合でもショートしないようにされている。
【００４０】
パンチングメタル１７０Ｌ、１７０Ｒは、図５及び図６に示されるように、横長の矩形状とされており、その外形形状はフレーム１５２の前板部１５２Ａの外形形状にほぼ揃えられている。このパンチングメタル１７０Ｌ、１７０Ｒの四隅には、下飾り２０側のボス１３４及びネジ孔１３６に対応する円孔１７２がそれぞれ形成されている。また、パンチングメタル１７０Ｌ、１７０Ｒの前面には、スピーカー１５０Ｌ、１５０Ｒのコーン紙１５８と略同形状で、且つ、パンチングメタル１７０Ｌ、１７０Ｒが下飾り２０に取り付けられた際にスピーカー取付孔１２８Ｌ、１２８Ｒに嵌め込まれる横長略楕円形状の凸部１７４が設けられており、この凸部１７４には、パンチング加工によって多数の小孔が形成されている。
【００４１】
そして、これらのスピーカー１５０Ｌ、１５０Ｒとパンチングメタル１７０Ｌ、１７０Ｒを備える下飾り２０の組み立てでは、下飾り２０の周壁１３２Ｌ、１３２Ｒ内に後側の開口１３３Ｌ、１３３Ｒを通して、パンチングメタル１７０Ｌ、１７０Ｒ及びスピーカー１５０Ｌ、１５０Ｒを図５及び図６に示される向きで順に嵌め入れ、円孔１７２及び長孔１５４をボス１３４にそれぞれ挿入して位置決めし、その状態で、図示しないネジをネジ孔１３６に螺合させる。これにより、下飾り２０の裏面２０Ｂにおけるスピーカー取付孔１２８Ｌ、１２８Ｒの後縁部に、スピーカー１５０Ｌ、１５０Ｒとパンチングメタル１７０Ｌ、１７０Ｒとが取り付けられ、スピーカー１５０Ｌ、１５０Ｒのコーン紙１５８は、パンチングメタル１７０Ｌ、１７０Ｒにより、スピーカー取付孔１２８Ｌ、１２８Ｒを通して内部に進入しようとする異物等から保護される。
【００４２】
また、パチンコ機１０のメンテナンスや解体等で、下飾り２０からスピーカー１５０Ｌ、１５０Ｒを単独で、又はパンチングメタル１７０Ｌ、１７０Ｒと共に取り外すには、上記のネジをネジ孔１３６から取り外すことにより、スピーカー１５０Ｌ、１５０Ｒ及びパンチングメタル１７０Ｌ、１７０Ｒを、周壁１３２Ｌ、１３２Ｒの開口１３３Ｌ、１３３Ｒを通して下飾り２０の裏面２０Ｂから取り外し、周壁１３２Ｌ、１３２Ｒ内から抜き出すことができる。
【００４３】
本実施形態の下飾り２０は、以上の構成とされている。また、この下飾り２０が取り付けられる本実施形態の外枠１２の前面下部には、図４に示されるように、下飾り２０の周壁１３２Ｌ、１３２Ｒと対応する横長矩形状の貫通孔１７６Ｌ、１７６Ｒが形成されている。これにより、下飾り２０を外枠１２に取り付けると、図７（Ｃ）に示されるように、下飾り２０の周壁１３２Ｌ、１３２Ｒが貫通孔１７６Ｌ、１７６Ｒに嵌め入れられる。
【００４４】
次に、以上説明した本実施形態の作用について説明する。
【００４５】
本実施形態のパチンコ機１０では、外枠１２の前面下部に設けられた下飾り２０の裏面２０Ｂに、後側を開口させた四角筒状の周壁１３２Ｌ、１３２Ｒが一体的に設けられており、下飾り２０の裏面２０Ｂ（スピーカー取付孔１２８Ｌ、１２８Ｒの後縁部）に取り付けられたスピーカー１５０Ｌ、１５０Ｒは、周壁１３２Ｌ、１３２Ｒの内部に収容され周壁１３２Ｌ、１３２Ｒによって囲われている。この周壁１３２Ｌ、１３２Ｒは、後側が開口していることで、下飾り２０を型成形する際に簡単な金型構造で容易に一体形成することができ、例えばスピーカーボックスやエンクロージャー等を別途取り付ける場合に比べて、簡単且つ低コストに構成できる。また、パチンコ機１０の組み立てやメンテナンス等では、周壁１３２Ｌ、１３２Ｒの開口１３３Ｌ、１３３Ｒを通して、スピーカー１５０Ｌ、１５０Ｒを周壁１３２Ｌ、１３２Ｒ内に嵌め入れ下飾り２０の裏面２０Ｂに取り付け、又、スピーカー１５０Ｌ、１５０Ｒを下飾り２０の裏面２０Ｂから取り外し周壁１３２Ｌ、１３２Ｒ内から抜き出すことができる。そして、スピーカー１５０Ｌ、１５０Ｒの駆動による効果音の出力時には、コーン紙１５８の振動に伴い、フレーム１５２のボックス部１５２Ｂに形成されたベントホール１６２を通して後方へ出力される、効果音とは逆位相の音が周壁１３２Ｌ、１３２Ｒ内で共鳴することにより、効果音の低音域が増強されて高音質化が図られる。
【００４６】
このように、本実施形態のパチンコ機１０では、スピーカー１５０Ｌ、１５０Ｒから出力される遊技の効果音の高音質化が、下飾り２０の裏面２０Ｂに筒状の周壁１３２Ｌ、１３２Ｒを一体的に設けるだけの簡単且つ低コストな構成によって実現される。
【００４７】
また、本実施形態では、周壁１３２Ｌ、１３２Ｒの開口形状（開口１３３Ｌ、１３３Ｒ）がスピーカー１５０Ｌ、１５０Ｒのフレーム１５２における前板部１５２Ａの外形形状と略同形状とされていることにより、スピーカー１５０Ｌ、１５０Ｒを下飾り２０の裏面２０Ｂに取り付ける際には、開口１３３Ｌ、１３３Ｒを通して周壁１３２Ｌ、１３２Ｒ内に嵌め入れられたスピーカー１５０Ｌ、１５０Ｒが、周壁１３２Ｌ、１３２Ｒの内壁面にガイドされ下飾り２０の裏面２０Ｂにおける所定の取付位置（スピーカー取付孔１２８Ｌ、１２８Ｒの後縁部）に誘導される。これにより、スピーカー１５０Ｌ、１５０Ｒの取付位置決め及び取付作業が容易になる。
【００４８】
また、本実施形態では、例えば外枠１２に開閉可能に設けられた内枠１４を開放したときに、内枠１４の裏面側で遊技球が零れ落ち、その遊技球が下飾り２０の裏面側に至った場合等でも、スピーカー１５０Ｌ、１５０Ｒの裏面側（フレーム１５２のボックス部１５２Ｂ）のベントホール１６２に設けられたリブ１６４により、ボックス部１５２Ｂ内への遊技球ＢＬの進入が阻止されるため、遊技球ＢＬがコーン紙１５８に接触すことで引き起こされるコーン紙１５８の破損やスピーカーの音響特性変化を防止できる。
【００４９】
以上、本発明を上述した特定の実施形態により詳細に説明したが、本発明はそれに限定されるものではなく、本発明の範囲内にて他の種々の実施形態が可能である。
【図面の簡単な説明】
【００５０】
【図１】本発明の一実施形態に係るパチンコ機を示す正面図である。
【図２】図１のパチンコ機における内枠、ガラス枠、及び遊技盤を示す正面側から見た斜視図である。
【図３】本発明の一実施形態に係る外枠及び下飾りの組立状態を示す斜視図である。
【図４】本発明の一実施形態に係る外枠及び下飾りの分解状態を示す斜視図である。
【図５】本発明の一実施形態に係る下飾り、パンチングメタル、及びスピーカーを示すを正面側から見た分解斜視図である。
【図６】本発明の一実施形態に係る下飾り、パンチングメタル、及びスピーカーを示すを背面側から見た分解斜視図である。
【図７】本発明の一実施形態に係る下飾りが外枠に取り付けられた状態を示す（Ａ）が正面図、（Ｂ）が背面図、（Ｃ）が（Ａ）の７Ｃ−７Ｃ線断面図である。
【符号の説明】
【００５１】
１０        パチンコ機
１２        外枠
２０        下飾り（装飾部材）
２０Ｂ      裏面
１３２Ｌ      周壁
１３２Ｒ      周壁
１３３Ｌ      開口
１３３Ｒ      開口
１５０Ｌ      スピーカー
１５０Ｒ      スピーカー
１５８        コーン紙（振動板）
１６４        リブ（接触防止手段）
ＢＬ        遊技球
【図１】
2006000165.tif 000003
【図２】
2006000165.tif 000004
【図３】
2006000165.tif 000005
【図４】
2006000165.tif 000006
【図５】
2006000165.tif 000007
【図６】
2006000165.tif 000008
【図７】
2006000165.tif 000009